(57)【要約】【課題】安全性を有し、便利に使用できる複合式スーツケース錠を提供する。【解決手段】ベース２０は、２つのひっかけ孔２４１を有する。錠ユニット３０は、錠ボディ３２を有し、錠ボディ３２に鍵錠３４とダイヤル錠３６とが設けられている。鍵錠３４は錠シリンダーを有し、ダイヤル錠３６は複数のダイヤルリングとダイヤルリングに設けられている可動スリット板とを有する。２つのロックユニット４０は、ロック部ベース４２と、押し部品４４と、ロック部ベース４２と押し部品４４との間の弾性部品とをそれぞれ有する。２つの連動ユニット５０は、ベース２０上で位置を変えることが可能であり、第１の連動部品５２と第２の連動部品５４と第３の連動部品５６とを有する。第１の連動部品５２は、その一端とベース２０との間に弾性部品を有する。【選択図】図２
0003124466.tif 000002
【実用新案登録請求の範囲】
【請求項１】
スーツケースに設けられ、前記スーツケースは２つの鈎を有し、
ベースは前記スーツケースに設けられ、２つのひっかけ孔を有し、前記スーツケースの鈎をひっかけることに用いられ、
錠ユニットはベースに錠ボディを有し、前記錠ボディには鍵錠とダイヤル錠とが設けられ、前記鍵錠は錠シリンダーを有し、前記錠シリンダーは開錠位置と施錠位置との間を回転可能であり、前記ダイヤル錠は複数のダイヤルリングとダイヤルリングに設けられている可動スリット板とを有し、前記可動スリット板は前記ダイヤルリングの制御を受け、ダイヤルリングに相対して第１の位置と第２の位置との間を昇降可能であり、前記可動スリット板は前記錠シリンダーの制御を受けてダイヤルリングに相対して第１の位置と第２の位置との間を昇降可能であり、
２つのロックユニットはベースのロック部ベースと、前記ロック部ベースの押し部品と、前記ロック部ベースと前記押し部品との間の弾性部品とをそれぞれ有し、前記ロック部ベースは各前記鈎にひっかけ棒でひっかかることが可能であり、
２つの連動ユニットは前記ベース上で位置を変えることが可能であり、第１の連動部品と第２の連動部品と第３の連動部品とを有し、第１の連動部品はその一端と前記ベースとの間に弾性部品を有し、前記ロックユニットの押し部品と接触し、前記第２の連動部品の一端は前記第３の連動部品の一端に連接され、前記第３の連動部品のもう一端は前記ロックユニットの前記可動スリット板によって押し止められることが可能であり、
前記錠シリンダーが開錠位置にある際、前記可動スリット板は前記第１の位置にあり、前記第３の連動部品のもう一端は前記ロックユニットの可動スリット板によって押し止められず、各前記押し部品は各前記連動ユニットを押し動かすことが可能になり、各前記ロック部ベースを各前記ベースに相対して引き上げることが可能であり、各前記ひっかけ棒は各前記鈎から離れ、前記スーツケースを開けることに用いられ、前記錠シリンダーが施錠位置にある際、前記可動スリット板は前記第２の位置にあり、前記第３の連動部品のもう一端は前記ロックユニットの可動スリット板によって押し止められ、各前記押し部品は各前記連動ユニットを押し動かすことが不可能になり、各前記ロック部ベースは各前記ベースに接近し、各前記ひっかけ棒は各前記鈎から離れることが不可能になり、前記スーツケースを開けることは不可能になることを特徴とする複合式スーツケース錠。
【請求項２】
前記錠シリンダーは、接触部を有し、前記可動スリット板は延伸部を有し、前記延伸部は前記接触部の接触端を受け、前記可動スリット板を前記第１の位置と前記第２の位置との間で昇降可能であることを特徴とする請求項１記載の複合式スーツケース錠。
【請求項３】
前記接触部は、斜面を有し、前記可動スリット板の延伸部は前記斜面に接触し、前記可動スリット板の位置が第１の位置にある時、前記斜面は前記延伸部に接触し、前記可動スリット板の位置が第２の位置にある時、前記斜面は前記延伸部を押し止めていることを特徴とする請求項２記載の複合式スーツケース錠。
【請求項４】
前記可動スリット板は、ストッパー部を有し、前記可動スリット板が第１の位置にある時、各前記第３の連動部品は前記ストッパー部によって押し止められず、各前記押し部品は各前記連動ユニットを押し動かすことが可能になり、前記可動スリット板が第２の位置にある時、各前記第３の連動部品は前記ストッパー部によって押し止められ、各前記押し部品は各前記連動ユニットを押し動かすことが不可能になることを特徴とする請求項１記載の複合式スーツケース錠。
【請求項５】
各前記押し部品は、鈎を有し、各前記ベースは各前記鈎をひっかけるひっかけ孔を有し、前記可動スリット板が第２の位置にある時、各前記押し部品を押すことにより、各前記鈎は各前記ひっかけ孔から離れ、各前記ロック部ベースは各前記ベースから相対的に引き上げられることを特徴とする請求項１記載の複合式スーツケース錠。
【請求項６】
前記ベースは、固定板を有し、前記弾性部品が第１の連動部品の一端と固定板との間に設けられていることを特徴とする請求項１記載の複合式スーツケース錠。
【考案の詳細な説明】
【技術分野】
【０００１】
本考案は、錠前と関連があり、特に、一種のダイヤル錠および鍵錠の両方を備える複合式スーツケース錠を指す。
【背景技術】
【０００２】
一般的なスーツケースに使用されている錠前は、ダイヤル錠と鍵錠の二種におおむね分類される。スーツケースの錠前がダイヤル錠の場合、使用者は、必ず特定の数字を入力しなければ、スーツケースを開けることはできない。一方、スーツケースが鍵錠である場合、使用者は必ず適合した鍵を携帯しなければならず、鍵を挿入して鍵錠の鍵孔を回転させることではじめてスーツケースを開けることができる。
【０００３】
しかしながら、使用者のスーツケースがダイヤル錠を採用している場合、使用者がダイヤル錠を開ける数字を忘れたとき、該スーツケースは開けることができず、使用者は必ず該スーツケースを修理に送らなければならず、そこではじめてスーツケース内に入れておいた品を取り出すことが可能になり、使用者に不便と困惑をもたらしやすい。一方、使用者のスーツケースが鍵錠を採用している場合、使用者が鍵を失ったとき、同様に比較的面倒な方法でしかスーツケースを開けることはできない。
【考案の開示】
【考案が解決しようとする課題】
【０００４】
本考案の主要な目的は、一種の複合式スーツケース錠を提供することにあり、それは、同時にダイヤル錠および鍵錠を備え、使用者が選択してダイヤル錠あるいは鍵錠を利用してスーツケースを開錠することができ、スーツケース内の物品に安全性をもたらすと同時に、使用における利便性を高めるものである。
【課題を解決するための手段】
【０００５】
上述の目的を達成するため、本考案の提供する複合式スーツケース錠は、ベース、錠ユニット、２つのロックユニットおよび２つの連動ユニットを含有する。該ベースは、スーツケースに設けられ、２つのひっかけ孔が設けられていて、該スーツケースの２つの鈎をひっかけることに用いられる。錠ユニットは、該ベースに設けられた錠ボディと、該錠ボディの鍵錠と、該錠ボディに設けられたダイヤル錠とを有する。そのうち、該鍵錠は錠シリンダーを有し、該錠シリンダーは開錠位置と施錠位置との間で昇降することができる。該ダイヤル錠は、複数のダイヤルリングと、該ダイヤルリングに設けられた可動スリット板とを有する。該可動スリット板はダイヤルリングによる制御を受け、該ダイヤルリングに相対して第１の位置と第２の位置との間を昇降することができ、且つ該可動スリット板は錠シリンダーによる制御を受け、該ダイヤルリングに相対して第１の位置と第２の位置との間で昇降することができる。該２つのロックユニットは、それぞれ該ベースのロック部ベースに軸接続されていて、該ロック部ベースの押し部品が設けられ、また、該ロック部ベースと該押し部品との間には弾性部品が設けられている。そのうち、各該ロック部ベースは、各該ひっかけ部品のひっかけ棒を有する。該２つの連動ユニットは、該ベース上で位置を変えることができ、それぞれ第１の連動部品、第２の連動部品および第３の連動部品を有する。そのうち、該第１の連動部品の一端は、該ベースとの間に弾性部品を有し、且つ該ロックユニットの押し部品に接触している。該第２の連動部品の一端は、該第１の連動部品のもう一端に接触している。該第２の連動部品のもう一端は、該第３の連動部品のもう一端に接触している。該第３の連動部品のもう一端は、該ロックユニットの可動スリット板の部分で押し止められている。
【０００６】
該錠シリンダーが該開錠位置にあるとき、該可動スリット板は該第１の位置にあり、該第３の連動部品のもう一端は該ロックユニットの可動スリット板で押し止められることはない。各該押し部品は各該連動ユニットを押し動かすことができ、各該ロック部ベースを各該ベースから引き上げることができる。各該ひっかけ棒は各該鈎から離れることができ、スーツケースを開けることができる。該錠シリンダーが施錠位置にあるとき、該第３の連動部品のもう一端は該ロックユニットの可動スリット板で押し止められる。各該押し部品は各該連動ユニットを押し動かすことはできず、各該ロック部ベースは各該ベースに接近することができ、各該ひっかけ棒は各該鈎から離れることはできない。
【０００７】
このように、本考案は、該ダイヤル錠と該鍵錠を相互に結合させた設計を利用することで、使用者が該ダイヤル錠あるいは該鍵錠を選択して該スーツケースを開けることができ、本考案の応用によるスーツケースは安全性を備えるのみならず、同時に、使用の利便性をも高めている。
【考案を実施するための最良の形態】
【０００８】
ここに図式を組み合わせて、比較的優れた実施例を以下に挙げ、本考案の構造および効果に対して詳細な説明を行う。そのうち、図式の簡単な説明を以下の如くとする。
図１は、本考案の比較的優れた実施例の斜視図である。
図２は、本考案の比較的優れた実施例の分解斜視図である。
図３は、本考案の比較的優れた実施例の提供する錠ユニットの分解斜視図である。
【０００９】
図４は、本考案の比較的優れた実施例の提供するロックユニットの分解斜視図である。
図５は、局部的な模式図であり、可動スリット板が第２の位置にある際、ロックユニットがベースに接近している状態を示す。
図６は、局部的な模式図であり、可動スリット板が第３の位置にある際、ロックユニットがベースと離れて引き上げられている状態を示す。
【００１０】
図１および図２を参照する。本考案の比較的優れた一実施例が提供する複合式スーツケース錠１０は、スーツケースに装着され、該スーツケースは２つの鈎を有する。該複合式スーツケース錠１０は、ベース２０、錠ユニット３０、２つのロックユニット４０および２つの連動ユニット５０を含有する。
【００１１】
該ベース２０は、３本の長いフレーム２２２４が接して構成されており、各該フレーム２２とフレーム２４は収容部２６を有し、且つ該フレーム２２は該収容部２６の上方に３つの錠蓋２２１と錠蓋２２３を有し、該２つの錠蓋２２３はそれぞれ該錠蓋２２１の両端に連接されており、且つ該錠蓋２２１にはハンドル２２５が連接されている。該２本のフレーム２４の側面にはそれぞれひっかけ孔２４１が設けられていて、該鈎をひっかけることに用いられる。且つ該２本のフレーム２４は、各該ひっかけ孔２４１の上方に固定棒２４３を有する。このほか、該２本のフレーム２４の端部にはそれぞれ鈎孔２４５が設けられ（図６に示す）、且つそれぞれ固定板２４７を有する（図４に示す）。
【００１２】
図３を参照する。該錠ユニット３０は、錠ボディ３２、鍵錠３４およびダイヤル錠３６を有する。該錠ボディ３２は、該フレーム２２の収容部２６の中に設けられていて、内部に収容溝３２２を有する。該鍵錠３４は、錠シリンダーベース３４２と錠シリンダー３４４と含み、そのうち、該錠シリンダーベース３４２は該錠ボディ３２の収容溝３２２の中に設けられ、該錠シリンダー３４４はＣ型リング３８により該錠シリンダーベース３４２の中で固定されていて、開錠位置と閉錠位置との間で相対的に該錠シリンダーベース３４２は回転することができる。該錠シリンダー３４４は、頂端に錠孔３４６を有し、底端に接触部３４８が延伸している（図５に示す）。該接触部３４８は、斜面３４９を有する。該ダイヤル錠３６は、該錠ボディ３２の収容溝３２２の中に設けられ、シャフト３６２と、該シャフト３６２に設けられた３つのダイヤルリング３６４と、該シャフト３６２に設けられて各該ダイヤルリング３６４にそれぞれ設けられた３つの制動輪３６６と、該シャフト３６２に通されて該制動輪３６６に設けられた暗証番号変更棒３６８と、該ダイヤルリング３６４と該制動輪３６６を装着することに用いられる可動スリット板３７０とを含み有する。そのうち、該可動スリット板３７０は、該錠ボディ３２の底部に入り込んだストッパー部３７２を有しており、該ダイヤルリング３６４を回転させることにより、該可動スリット板３７０は該ダイヤルリング３６４に相対して第１の位置と第２の位置との間を昇降することができ、該可動スリット板３７０が第１の位置にあるとき、該ダイヤル錠３６は開錠された状態にあり、逆に、可動スリット板３７０が第２の位置にあるとき、該ダイヤル錠３６は施錠された状態にある。このほか、該可動スリット板３７０の該鍵錠３４に向かった一方は外に向かって延伸しており、該錠シリンダー３４４の接触部３４８の延伸部３７４に接触している。該鍵錠３４が施錠位置にある際、該接触部３４８は該延伸部３７４に接触し、該錠シリンダー３４４の錠孔３４６に鍵（図中未表示）が挿入されて回転する際、該鍵錠３４は開錠位置となる。該可動スリット板３７０の延伸部３７４は該接触部３４８の斜面３４９により押さえられ、該可動スリット板３７０を該第２の位置から第１の位置へと下降させる。
【００１３】
図４を参照する。各該ロックユニット４０は、ロック部ベース４２を有している。各該ロック部ベース４２は、各該フレーム２４に軸接続されており、底面は下に向かって延伸してひっかけ棒４２２を呈し、各該ひっかけ棒４２２はスライド溝４２４を有し、各該固定棒２４３は各該スライド溝４２４の中に入り込んでいる。各該ロックユニット４０は、さらに、押し部品４４と弾性部品４６とを有している。そのうち、各該押し部品４４は各該鈎孔２４５の中に押し棒４４２を有していて、該弾性部品４６の両端はそれぞれ各該押し部品４４と各該ロック部ベース４２に接触している。
【００１４】
図５を参照する。各該連動ユニット５０は、各該フレーム２４の収容部２６の中に設けられていて、第１の連動部品５２、第２の連動部品５４および第３の連動部品５６を有している。各該第１の連動部品５２は、後端が各該押し部品４４の押し棒４４２に接触していて、前端が第２の連動部品５４の後端にはめ込まれていて、且つ該第１の連動部品５２と各該フレーム２４の固定板２４７との間には弾性部品５２２を有する（図４に示す）。該第２の連動部品５４の前端は、該第３の連動部品５６の後端にはめ込まれている。該第３の連動部品５６の前端は、該可動スリット板３７０のストッパー部３７２によって押し止められることが可能である。各該押し部品４４を押す際、各該押し部品４４の押し棒４４２は各該第１の連動部品５２を押し、各該第１の連動部品５２は第２の連動部品５４を前に押し、各該第２の連動部品５４は各該第３の連動部品５６を前に押す。
【００１５】
上述の構造により、該ダイヤル錠３６を使用してスーツケースを開けたい場合、必ず該ダイヤルリング３６４を特定の数字に回転させることが必要であり、該可動スリット板３７０を第１の位置とする。この際、該ダイヤル錠３６は開錠状態を呈しており、使用者は、各該押し部品４４を押すことにより、各該連動ユニット５０を前に動かすことができる。これにより、各該ロック部ベース４２を上へ開けることが可能となり、各該押し部品４４の押し棒４４２が各該鈎孔２４５から離れ、該ひっかけ棒４２２は該２つの鈎と離れ、該スーツケースを開けることが可能となる。使用者が該ダイヤルリング３６４を回転させると、該ダイヤル錠３６は施錠状態となる。図５に示すように、該可動スリット板３７０は該第２の位置まで上昇することができ、この際、該第３の連動部品５６の前端は該可動スリット板３７０のストッパー部３７２によって押し止められる。これにより、該２つの押し部品４４を押すことになり、各該連動ユニット５０を移動させることはできなくなり、該２つのロック部ベース４２はそれぞれ該２本のフレーム２４に接近し、上部に引き上げることは不可能となり、スーツケースを開けることはできなくなる。さらに、図６に示すように、使用者が該ダイヤル錠３６を開錠する数字を忘れた場合は、該鍵を該鍵錠３４の錠孔３４６内に挿入して回転させることができる。この時、該錠シリンダー３４４の接触部３４８の斜面３４９は該可動スリット板３７０の延伸部３７４に押し当たり、該可動スリット板３７０を該第１の位置に下げ、各該第３の連動部品５６は該可動スリット板３７０のストッパー部３７２によって押しとどめられることもなく、これにより、使用者は各該押し部品４４を押すことで各該連動ユニット５０を押し動かすことができ、各該ロック部ベース４２を上に引き上げることができ、該スーツケースを開けることができる。
【００１６】
このように、本実施例は、該ダイヤル錠３６と該鍵錠３４を相互に結合させた設計を利用することで、使用者は該ダイヤル錠３６あるいは該鍵錠３４を選択してスーツケースを開けることができ、安全性を備えることとなり、同時に、使用時の利便性目的を高めている。
【図面の簡単な説明】
【００１７】
【図１】本考案の一実施例による複合式スーツケース錠を示す斜視図である。
【図２】本考案の一実施例による複合式スーツケース錠を示す分解斜視図である。
【図３】本考案の一実施例による複合式スーツケース錠の錠ユニットを示す分解斜視図である。
【図４】本考案の一実施例による複合式スーツケース錠のロックユニットを示す分解斜視図である。
【図５】本考案の一実施例による複合式スーツケース錠のロックユニットがベースに接近している状態を示す模式図である。
【図６】本考案の一実施例による複合式スーツケース錠のロックユニットがベースと離れて引き上げられている状態を示す模式図である。
【符号の説明】
【００１８】
１０  複合式スーツケース錠、２０  ベース、２２  フレーム、２４  フレーム、２６  収容部、３０  錠ユニット、３２  錠ボディ、３４  鍵錠、３６  ダイヤル錠、３８  Ｃ型リング、４０  ロックユニット、４２  ロック部ベース、４４  押し部品、４６  弾性部品、５０  連動ユニット、５２  第１の連動部品、５４  第２の連動部品、５６  第３の連動部品、２２１  錠蓋、２２３  錠蓋、２２５  ハンドル、２４１  ひっかけ孔、２４３  固定棒、２４５  鈎孔、２４７  固定板、３２２  収容溝、３４２  錠シリンダーベース、３４４シリンダー、３４６  錠孔、３４８  接触部、３４９  斜面、３６２  シャフト、３６４  ダイヤルリング、３６６  制動輪、３６８  暗証番号変更棒、３７０  可動スリット板、３７２  ストッパー部、３７４  延伸部、４２２  ひっかけ棒、４２４  スライド溝、４４２  押し棒、５２２  弾性部品
【図１】
0003124466.tif 000003
【図２】
0003124466.tif 000004
【図３】
0003124466.tif 000005
【図４】
0003124466.tif 000006
【図５】
0003124466.tif 000007
【図６】
0003124466.tif 000008